(57)【要約】【課題】実態から乖離した状態に区分されることを抑制できる区分装置、区分方法および区分プログラムを提供する。【解決手段】区分装置は、それぞれ属性が対応付けられた点２が配置されたエリア１内の点２の配置状況が所定の基準よりも低い部分に、無属性の点５を配置する。区分装置１１は、無属性の点５が配置されたエリア１を点２、５毎の多角形の領域３に区分する。【選択図】図１
2015005044.tif 000002
【特許請求の範囲】
【請求項１】
それぞれ属性が対応付けられた点が配置されたエリア内の前記点の配置状況が所定の基準よりも低い部分に、無属性の点を配置する配置手段と、
前記配置手段により無属性の点が配置された前記エリアを点毎の多角形の領域に区分する区分手段と、
を有することを特徴とする区分装置。
【請求項２】
前記配置手段は、前記エリアを所定サイズのメッシュで区分けした際に、点の密度が所定以下のメッシュ内に無属性の点を配置する
ことを特徴とする請求項１に記載の区分装置。
【請求項３】
前記区分手段により区分された各領域のうち、互いに隣接しかつ同じ属性が対応付けられた点の領域を統合する統合手段
をさらに有することを特徴とする請求項１または２に記載の区分装置。
【請求項４】
前記統合手段は、無属性の点の領域が同一の属性の領域に周囲を所定以上囲まれている場合、当該無属性の点の領域を当該同一の属性の領域に統合する
ことを特徴とする請求項３に記載の区分装置。
【請求項５】
前記エリア内の領域の境界を示す境界情報に基づき、前記統合手段により統合された領域を前記境界に合わせて補正する補正手段
をさらに有することを特徴とする請求項３または４に記載の区分装置。
【請求項６】
コンピュータが、
それぞれ属性が対応付けられた点が配置されたエリア内の前記点の配置状況が所定の基準よりも低い部分に、無属性の点を配置する配置ステップと、
前記配置ステップにより無属性の点が配置された前記エリアを前記点毎の多角形の領域に区分する区分ステップと、
を実行することを特徴とする区分方法。
【請求項７】
コンピュータに、
それぞれ属性が対応付けられた点が配置されたエリア内の前記点の配置状況が所定の基準よりも低い部分に、無属性の点を配置する配置ステップと、
前記配置ステップにより無属性の点が配置された前記エリアを前記点毎の多角形の領域に区分する区分ステップと、
を実行させることを特徴とする区分プログラム。
【発明の詳細な説明】
【技術分野】
【０００１】
本発明は、区分装置、区分方法および区分プログラムに関する。
【背景技術】
【０００２】
従来から対象の分布状況に応じて、区分対象のエリアの区分が行われている。例えば、学校の校区は、ボロノイ分割を用いて区分が行われている。この校区は、学区、通学区域などとも呼ばれる。ボロノイ分割は、区分対象のエリア内に配置された各点について隣接する点との二等分線を求め、二等分線を境界としてエリアを各点の領域に区分する。これにより、区分対象のエリアは、配置された各点に近い領域に区分される。
【０００３】
特許文献１には、ボロノイ分割を利用して所定領域に分割し、給水栓を割り当てる技術が記載されている。
【先行技術文献】
【特許文献】
【０００４】
【特許文献１】特開２０１３−０５４７５７号公報
【発明の概要】
【発明が解決しようとする課題】
【０００５】
ところで、区分対象のエリア内の各点に属性を対応付け、ボロノイ分割等を利用してエリアを各点の多角形の領域に区分し、同じ属性の点の多角形の領域を併合することで、属性毎の勢力範囲を視覚化することを考える。これは、施設と利用者の居住地域のように、予め定まっていない商圏その他の視覚化のほか、例えば、市内局番、郵便番号、校区、送電エリアなどの非公開又は曖昧な区割りを、実際の多数の割当結果から逆算する場合や、移動体通信網、公衆無線ＬＡＮ（Local  Area  Network）などの基地局のサポート範囲を特定する場合などにも使用できる。
【０００６】
しかしながら、ボロノイ分割は、性質として、点が存在しない空白エリアがあっても、周囲の点の間の二等分線が延びる形で多角形に区分するため、点が存在しない空白エリアにトゲ状に多角形の領域が入り込んでしまう場合がある。そして、同じ属性の多角形の領域を一体化した場合、空白エリアがトゲ状の領域が割拠されて実態から乖離した状態に区分されてしまう場合があるという問題があった。
【０００７】
本願は、上記に鑑みてなされたものであって、実態から乖離した状態に区分されることを抑制できる区分装置、区分方法および区分プログラムを提供することを目的とする。
【課題を解決するための手段】
【０００８】
本願に係る区分装置は、それぞれ属性が対応付けられた点が配置されたエリア内の前記点の配置状況が所定の基準よりも低い部分に、無属性の点を配置する配置手段と、前記配置手段により無属性の点が配置された前記エリアを点毎の多角形の領域に区分する区分手段と、を有することを特徴とする。
【発明の効果】
【０００９】
本発明によれば、実態から乖離した状態に区分されることを抑制できる。
【図面の簡単な説明】
【００１０】
【図１】図１は、領域の区分方法の一例を示す説明図である。
【図２】図２は、システムの全体の概略構成の一例を示す図である。
【図３】図３は、実施形態に係る区分装置の機能的な構成の一例を示す図である。
【図４】図４は、地点情報のデータ構成の一例を示す図である。
【図５】図５は、区分対象のエリアの一例を示す図である。
【図６Ａ】図６Ａは、境界線の一例を示す図である。
【図６Ｂ】図６Ｂは、境界線の一例を示す図である。
【図６Ｃ】図６Ｃは、境界線の一例を示す図である。
【図７】図７は、区分対象のエリアを区分して属性毎の勢力範囲を視覚化する区分処理の手順の一例を示すフローチャートである。
【図８】図８は、区分対象のエリア内に点を配置した一例を示す図である。
【図９】図９は、エリアを多角形の領域に区分した一例を示す図である。
【図１０】図１０は、無属性の点の領域を他の属性の領域に統合する一例を示す図である。
【図１１】図１１は、区分された各点の領域を統合した一例を示す図である。
【図１２】図１２は、統合した領域を境界線に合わせて補正した一例を示す図である。
【図１３】図１３は、区分装置の機能を実現するコンピュータの一例を示すハードウェア構成図である。
【発明を実施するための形態】
【００１１】
以下に、本発明に係る区分装置、区分方法および区分プログラムを実施するための形態（以下、「実施形態」と呼ぶ）について図面を参照しつつ詳細に説明する。なお、この実施形態によりこの発明が限定されるものではない。そして、各実施形態は、処理内容を矛盾させない範囲で適宜組み合わせることが可能である。
【００１２】
［１．領域の区分方法］
まず、図１を用いて、領域の区分方法の一例について説明する。図１は、領域の区分方法の一例を示す説明図である。図１（Ａ）に示すように、区分対象のエリア１は、内部に複数の点２が配置されている。エリア１は、上部において点２の配置が少ない。図１（Ｂ）は、図１（Ａ）に示したエリア１を各点２の領域３に区分した状態を示している。図１（Ｂ）は、エリア１を各点２の領域３にボロノイ分割を行ったボロノイ図である。エリア１は、各点２について隣接する点２との二等分線を境界としてエリア１を各点２の領域３に区分されている。ボロノイ図では、点２は母点とも呼ばれる。図１（Ｂ）に示すように、エリア１の上部での点２の配置が少ない場合、領域３ａは、トゲ状に多角形の領域に区分される。
【００１３】
そこで、エリア１内の点２の配置状況が所定の基準よりも低い部分に、点５を配置する。例えば、所定の範囲内に点２が配置されていない場合、点５を配置する。図１（Ｃ）では、図１（Ａ）に示したエリア１の上部の領域４に点２の配置されていないため、点５が配置されている。そして、エリア１を点２および点５毎の多角形の領域３に区分する。図１（Ｄ）は、図１（Ｃ）に示したエリア１を各点２、５の領域３に区分した状態を示している。
【００１４】
このように、点２の配置状況が低い部分に点５を配置することにより、図１（Ｄ）に示すように、エリア１の点２に配置されていない上部が点２の領域３に区分されることが抑制されるため、実態から乖離した状態に区分されることを抑制できる。以下、収集装置１２に対して、このような領域の区分方法を用いて勢力範囲を視覚化するシステム１０について詳細に説明する。
【００１５】
［２．システムの構成］
次に、実施形態に係るシステム１０について説明する。図２は、システムの全体の概略構成の一例を示す図である。図２に示すように、システム１０は、区分装置１１と、収集装置１２と、利用者端末１３とを有する。なお、図２の例では、システム１０は、収集装置１２および利用者端末１３を１つずつ有する場合を例示したが、開示のシステムはこれに限定されず、収集装置１２および利用者端末１３を任意の数とすることができる。
【００１６】
区分装置１１と、収集装置１２と、利用者端末１３は、各種の情報を交換することが可能とされている。例えば、区分装置１１と、収集装置１２と、利用者端末１３は、ネットワーク１４を介して通信可能に接続され、各種の情報を交換することが可能とされている。かかるネットワーク１４の一態様としては、有線または無線を問わず、ＬＡＮやＶＰＮ（Virtual  Private  Network）、移動体通信網などの任意の通信網が挙げられる。
【００１７】
収集装置１２は、区分対象のエリアの区分に用いる各種の情報を収集する装置である。例えば、収集装置１２としては、デスクトップ型ＰＣ（パーソナル・コンピュータ）、タブレット型ＰＣ、ノート型ＰＣなどの情報処理装置や、スマートフォン、ＰＤＡ（Personal  Digital  Assistant）、携帯電話機などの携帯端末が挙げられる。区分装置１１は、区分対象のエリア内の位置の位置情報と、当該位置に割当られた属性情報を収集する。例えば、区分対象のエリア内の校区を逆算する場合、区分装置１１は、区分対象のエリア内の生徒の自宅の位置情報と、通学する学校を属性情報として収集する。また、例えば、複数の店舗の商圏を逆算する場合、区分装置１１は、各店舗に来訪する顧客の自宅の位置情報と、来訪する店舗を属性情報として収集する。また、例えば、移動体通信網などの基地局のサポート範囲を特定する場合、区分装置１１は、位置情報と、当該位置情報が示す位置で通信可能な基地局の識別情報を属性情報として収集する。例えば、収集装置１２をスマートフォンとした場合、収集装置１２は、各生徒や顧客から、自宅の位置情報や属性情報を入力させたり、定期的にＧＰＳ（Global  Positioning  System）等による位置の測位と、当該位置で通信可能な基地局を特定することにより各種の情報を収集する。収集装置１２は、収集した各種の情報を区分装置１１へ送信する。例えば、収集装置１２は、位置情報と属性情報とを対応付けて区分装置１１へ送信する。
【００１８】
区分装置１１は、収集装置１２により収集された各種の情報を用いて区分対象のエリアの区分する装置である。区分装置１１は、例えば、サーバコンピュータなどのコンピュータである。区分装置１１は、１台のコンピュータとして実装してもよく、また、複数台のコンピュータによるクラウドとして実装することもできる。なお、本実施形態では、区分装置１１を１台のコンピュータとした場合を例として説明する。区分装置１１の詳細な構成は後述する。
【００１９】
利用者端末１３は、区分装置１１による処理結果を利用する利用者の端末装置である。例えば、利用者端末１３としては、上述の情報処理装置や携帯端末が挙げられる。なお、図２の例では、機能的な構成を示したため、収集装置１２と利用者端末１３を別に分けているが、例えば、利用者端末１３が収集装置１２を兼ねてもよい。
【００２０】
［３．区分装置の構成］
次に、実施形態に係る区分装置１１の構成について説明する。図３は、実施形態に係る区分装置の機能的な構成の一例を示す図である。
【００２１】
区分装置１１は、一般的なコンピュータの構成として、少なくとも、ネットワーク１４との通信手段２０（ＬＡＮアダプタなど）と、外部記憶装置（ＨＤＤ（Hard  Disk  Drive）等）や主メモリ等の記憶部２３と、ＣＰＵ（Central  Processing  Unit）などの制御部２４と、を有する。
【００２２】
区分装置１１では、記憶部２３に予め記憶（インストール）した図示しない所定のコンピュータ・プログラムが制御部２４を制御することで、図３に示す各手段などの要素（４０〜４５）を実現する。例えば、制御部２４は、受付手段４０と、配置手段４１と、区分手段４２と、統合手段４３と、補正手段４４と、出力手段４５として機能する。
【００２３】
また、記憶部２３は、各種情報を記憶する。例えば、記憶部２３は、地点情報３０と、エリア情報３１と、境界情報３２と、領域情報３３とを記憶する。
【００２４】
地点情報３０は、収集装置１２により収集された各種の情報を記憶したデータである。
例えば、地点情報３０は、位置の座標と、当該位置の属性とを対応付けて記憶する。図４は、地点情報のデータ構成の一例を示す図である。図４の例では、位置（ｘ１，ｙ１）に対応付けて属性Ａが記憶され、位置（ｘ３，ｙ３）に対応付けて属性Ｂが記憶されている。この属性Ａ，Ｂは、例えば、校区の区割りを特定する場合、学校名などの学校の識別情報となり、市内局番の区割りを特定する場合、市内局番となり、商圏を特定する場合、店舗名などの店舗の識別情報となり、基地局のサポート範囲を特定する場合、通信可能な基地局の識別情報となる。
【００２５】
エリア情報３１は、区分対象のエリアに関する情報を記憶したデータである。例えば、エリア情報３１は、区分対象のエリアの外形に関する情報を記憶する。図５は、区分対象のエリアの一例を示す図である。例えば、区分対象のエリアを、図５に例示するように、行政区画とした場合、エリア情報３１は、区分対象のエリアの外形の座標など輪郭の情報を記憶する。
【００２６】
境界情報３２は、区分対象のエリア内で領域の境界に関する情報を記憶したデータである。ここで、人の生活圏などの範囲は、道路、鉄道、河川などを境界として分かれる場合がある。例えば、校区は、道路などによって区分けされる。エリア情報３１は、エリアを属性毎の領域に区割する際の属性毎の領域の境界となり得る境界線の座標情報を記憶する。図６Ａ〜図６Ｃは、境界線の一例を示す図である。図６Ａは、道路を境界線とした場合を示し、図６Ｂは、鉄道を境界線とした場合を示し、図６Ｃは、河川を境界線とした場合を示している。境界情報３２には、領域の境界となり得る境界線の座標情報を記憶する。なお、境界線とする道路は、例えば、道路幅６ｍ以上の道路や、片側２車線以上の対面通行道路、交通量が一定以上の道路など、生活圏の境界となりうる所定の条件を満たす道路のみとしてもよい。また、境界線は、道路、鉄道、河川を組み合わせたものであってもよく、その他、管理者等が設定してもよい。
【００２７】
領域情報３３は、区分対象のエリア内の属性毎の領域に関する情報を記憶したデータである。例えば、領域情報３３は、後述する区分処理により特定された、属性毎の領域の境界の座標のデータを記憶する。
【００２８】
［４．作用］
上記のように構成した区分装置１１では、受付手段４０が、収集装置１２から各種の情報を受け付ける。例えば、受付手段４０は、収集装置１２から位置情報と属性情報とを受け付ける。受付手段４０は、受け付けた位置情報が示す位置の座標と、属性情報が示す属性を対応付けて地点情報３０に格納する。
【００２９】
区分装置１１は、地点情報３０が記憶されると、当該地点情報３０に基づいて、エリア情報３１により示す区分対象のエリアを区分し、属性毎の勢力範囲を視覚化する。図７は、区分対象のエリアを区分して属性毎の勢力範囲を視覚化する区分処理の手順の一例を示すフローチャートである。この区分処理は、例えば、管理者から処理開始が指示されたタイミングや、地点情報３０が格納されたタイミングで実行される。
【００３０】
図７に示すように、配置手段４１は、エリア情報３１を読み出し、エリア情報３１が示す区分対象のエリアの外形の座標から区分対象のエリアの範囲を特定する（ステップＳ１０）。配置手段４１は、地点情報３０を読み出し、区分対象のエリア内の地点情報３０の各座標が示す位置に、属性が対応付けられた点を配置する（ステップＳ１１）。図８は、区分対象のエリア内に点を配置した一例を示す図である。なお、図８では、区分対象のエリア５０の一部を拡大したエリア６０も示している。図８に示すエリア６０内の一点鎖線６１は、領域の境界となり得る道路の位置を示している。以下では、処理による変化を判別しやすくするため、拡大したエリア６０を用いて説明する。
【００３１】
図８に示すように、エリア６０は、地点情報３０の各座標が示す位置に点６２が配置されている。このそれぞれの点６２には、属性が対応付けられている。例えば、エリア６０内の点６２のうち、点６２Ａは、属性Ａが対応付けられている。また、エリア６０内の点６２のうち、点６２Ｂは、属性Ｂが対応付けられている。
【００３２】
配置手段４１は、エリア６０内の点６２の配置状況が所定の基準よりも低い部分に、無属性の点６３を配置する（図７のステップＳ１２）。例えば、配置手段４１は、エリア６０を所定サイズのメッシュで区分けした際に、点６２の密度が所定以下のメッシュ内に無属性の点６３を配置する。例えば、図８の例では、エリア６０を点線６４でメッシュ領域に区切り、メッシュ領域内に点６２の数が２個未満のメッシュ領域の中心に無属性の点６３を配置している。このエリア６０を区分けするメッシュのサイズ、および、無属性の点６３を配置すると判定する点６２の密度は、管理者が設定してもよく、点６２の配置状況に応じて設定してもよい。例えば、エリア５０の面積を点６２の総数で割って１つの点６２に対する平均面積を求め、平均面積の複数倍（例えば、５倍）をメッシュサイズとする。また、メッシュ領域内に配置する無属性の点６３の数は、１つに限定されず、複数配置してもよい。例えば、メッシュ領域を均等な４つの領域に区分し、それぞれの区分した領域の中心に無属性の点６３を配置してもよい。また、無属性の点６３を配置する位置は、メッシュ領域の中心に限定されず、メッシュ領域内でランダムに配置するものとしてもよい。無属性の点は、属性値が設定されていない（例えば「null」）点に限らず、無属性として扱われる所定の属性値が設定されている点でもよい。
【００３３】
区分手段４２は、ボロノイ分割を用いて、エリア６０を点６２、６３毎の多角形の領域に区分する（図７のステップＳ１３）。図９は、区分対象のエリアを多角形の領域に区分した一例を示す図である。図９の例は、図８のエリア６０を多角形の領域に区分した一例を示している。エリア６０は、各点６２、６３について隣接する点６２、６３との二等分線を境界として各点６２、６３の領域６５に区分されている。なお、本実施形態では、ボロノイ分割を用いて、エリア６０を多角形の領域６５に区分するが、他の分割法を用いてもよい。
【００３４】
統合手段４３は、区分された各点６２、６３の領域６５を統合する（図７のステップＳ１４）。例えば、統合手段４３は、各点６２、６３の領域６５のうち、互いに隣接しかつ同じ属性が対応付けられた領域６５を統合する。また、統合手段４３は、無属性の点６３の領域６５が同一の属性の領域６５に周囲を所定以上囲まれている場合、当該無属性の点６３の領域６５を当該同一の属性の領域６５に統合する。例えば、統合手段４３は、属性毎に、無属性の点６３の領域６５の境界線がそれぞれの属性の領域６５と接する割合を求める。そして、統合手段４３は、境界線が接する割合が所定以上（例えば、７０％）以上の属性がある場合、無属性の点６３の領域６５を隣接する当該属性の領域６５に統合する。
【００３５】
図１０は、無属性の点の領域を他の属性の領域に統合する一例を示す図である。図１０（Ａ）の例では、無属性の点６３の領域７０の周囲に、属性Ａの領域７１と、属性Ｂの領域７２が示されている。また、無属性の点６３の領域７０は、属性Ａの領域７１に周囲を所定以上囲まれているものとする。この場合、統合手段４３は、図１０（Ｂ）に示すように、無属性の点６３の領域７０を属性Ａの領域７１に統合する。なお、統合手段４３は、無属性の点６３の領域７０の周囲が全て属性Ａの領域７１である場合、無属性の点６３の領域７０を属性Ａの領域７１に統合するものとしてもよい。また、統合手段４３は、属性毎に、無属性の点６３の多角形の領域の各辺がそれぞれの属性の領域と接する割合を求め、辺が接する割合が所定以上（例えば、７０％）以上の属性がある場合、無属性の点６３の領域を隣接する当該属性の領域に統合してもよい。
【００３６】
図１１は、区分された各点の領域を統合した一例を示す図である。図１１の例は、図９のエリア６０の区分された領域６５を統合した一例を示している。エリア６０は、属性Ａの領域８１と、属性Ｂの領域８２と、無属性の領域８３に統合されている。
【００３７】
ところで、図１１示すように、統合した領域８１〜８３は、統合した多角形の領域６５の影響により、外形に起伏がある。一般的に、市内局番、郵便番号、校区、送電エリアなどでは、道路、鉄道、河川などを境界としてエリア６０が区割りされる。
【００３８】
そこで、補正手段４４は、境界情報３２に基づき、統合された領域を境界に合わせて補正する（図７のステップＳ１５）。例えば、補正手段４４は、統合した領域が境界情報３２により示される境界を超えてはみ出ている場合、はみ出た部分を分離して、分離した部分をはみ出た側の領域に統合する。
【００３９】
図１２は、統合した領域を境界線に合わせて補正した一例を示す図である。図１２の例は、図１１の統合した領域８１〜８３を、一点鎖線６１を境界として補正した一例を示す図である。エリア６０は、属性Ａの領域８１、属性Ｂの領域８２、無属性の領域８３がそれぞれ一点鎖線６１が境界に補正されている。これにより、統合した領域の形状を道路や鉄道、河川などの実際の境界の形状に合わせることができる。
【００４０】
なお、統合された領域の補正は、必須の処理ではない。例えば、動体通信網などの基地局のサポート範囲を特定する場合、基地局のサポート範囲は、道路等が境界とならないため、統合された領域の補正を行わなくてもよい。また、境界を越えてはみ出している領域が補正するか否かの基準とする所定サイズ以下の場合に、はみ出している領域を補正するようにしてもよい。これにより、例えば、属性の領域が実際に境界を越えて割り当てられている場合に、実際の近い状態で各属性の領域を特定できる。
【００４１】
この区分処理により特定された属性毎の領域の情報は、領域情報３３に記憶される。
【００４２】
出力手段４５は、領域情報３３に基づき、利用者へ各種の情報を出力する。例えば、利用者端末１３から属性毎の領域の提示要求を受けた場合、出力手段４５は、属性毎の領域を地図上で示した画面情報を利用者端末１３へ出力する。また、例えば、出力手段４５は経路検索サービスを提供しており、利用者端末１３から検索条件として、例えば、移動体通信網のサポート範囲を通過することが条件とされている場合、領域情報３３に基づき、移動体通信網のサポート範囲を通過する経路を検索し、検索結果を利用者端末１３へ出力する。
【００４３】
［５．効果］
このように、本実施形態に係る区分装置１１は、それぞれ属性が対応付けられた点６２が配置されたエリア５０、６０内の点６２の配置状況が所定の基準よりも低い部分に、無属性の点６３を配置する。そして、区分装置１１は、無属性の点６３が配置されたエリア５０、６０を点６２、６３毎の多角形の領域６５に区分する。これにより、区分装置１１は、エリア５０、６０が実態から乖離した状態に区分されることを抑制できる。
【００４４】
また、本実施形態に係る区分装置１１は、エリア５０、６０を所定サイズのメッシュで区分けした際に、点６２の密度が所定以下のメッシュ内に無属性の点６３を配置する。これにより、区分装置１１は、無属性の点６３を配置する領域を適切に判断して無属性の点６３を配置できる。
【００４５】
また、本実施形態に係る区分装置１１は、区分された各領域６５のうち、互いに隣接しかつ同じ属性が対応付けられた点の領域６５を統合する。これにより、区分装置１１は、属性毎の勢力範囲を特定できる。
【００４６】
また、本実施形態に係る区分装置１１は、無属性の点６３の領域６５が同一の属性の領域６５に周囲を所定以上囲まれている場合、当該無属性の点６３の領域６５を当該同一の属性の領域６５に統合する。これにより、区分装置１１は、無属性の領域６５がある場合でも周囲の属性と同じと推定される場合、周囲の属性の領域に統合できる。
【００４７】
また、本実施形態に係る区分装置１１は、エリア５０、６０内の領域の境界を示す境界情報３２に基づき、統合された領域を境界に合わせて補正する。これにより、区分装置１１は、統合した領域の形状を境界情報３２に記憶された境界の形状に合わせることができる。
【００４８】
［６．他の実施形態］
なお、上記実施形態は例示に過ぎず、本発明は、以下に例示するものやそれ以外の他の実施態様も含むものである。例えば、本発明において、各手段などの要素は、コンピュータの演算制御部に限らず、ワイヤードロジック等に基づく電子回路や、今後登場する非ノイマン型等の情報処理機構で実現してもよい。また、各構成図、データの図、フローチャートの図などは例示に過ぎず、各要素の有無、その順序や具体的内容などは適宜変更可能である。
【００４９】
例えば、区分装置１１を複数のサーバ装置で実現したり、各端末を含めて本発明のシステムとして把握したり、機能によっては外部のプラットフォーム等をＡＰＩ（Application  Programming  Interface）やネットワークコンピューティングなどで呼び出して実現するなど、構成は柔軟に変更できる。
【００５０】
なお、上記実施形態における区分装置１１は、例えば、図１３に示すような構成のコンピュータ２００によって実現される。図１３は、区分装置の機能を実現するコンピュータの一例を示すハードウェア構成図である。コンピュータ２００は、ＣＰＵ（Central  Processing  Unit）２１０、ＲＡＭ（Random  Access  Memory）２２０、ＲＯＭ（Read  Only  Memory）２３０、ＨＤＤ（Hard  Disk  Drive）２４０、通信インターフェイス（Ｉ／Ｆ）２５０、入出力インターフェイス（Ｉ／Ｆ）２６０、およびメディアインターフェイス（Ｉ／Ｆ）２７０を備える。
【００５１】
ＣＰＵ２１０は、ＲＯＭ２３０またはＨＤＤ２４０に格納されたプログラムに基づいて動作し、各部の制御を行う。ＲＯＭ２３０は、コンピュータ２００の起動時にＣＰＵ２１０によって実行されるブートプログラムや、コンピュータ２００のハードウェアに依存するプログラム等を格納する。
【００５２】
ＨＤＤ２４０は、ＣＰＵ２１０によって実行されるプログラムおよび当該プログラムによって使用されるデータ等を格納する。通信インターフェイス２５０は、ネットワーク１４を介して他の機器からデータを受信してＣＰＵ２１０へ送り、ＣＰＵ２１０が生成したデータを、ネットワーク１４を介して他の機器へ送信する。
【００５３】
ＣＰＵ２１０は、入出力インターフェイス２６０を介して、ディスプレイやプリンタ等の出力装置、および、キーボードやマウス等の入力装置を制御する。ＣＰＵ２１０は、入出力インターフェイス２６０を介して、入力装置からデータを取得する。また、ＣＰＵ２１０は、生成したデータを、入出力インターフェイス２６０を介して出力装置へ出力する。
【００５４】
メディアインターフェイス２７０は、記録媒体２８０に格納されたプログラムまたはデータを読み取り、ＲＡＭ２２０を介してＣＰＵ２１０に提供する。ＣＰＵ２１０は、当該プログラムを、メディアインターフェイス２７０を介して記録媒体２８０からＲＡＭ２２０上にロードし、ロードしたプログラムを実行する。記録媒体２８０は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【００５５】
コンピュータ２００が本実施形態における区分装置１１として機能する場合、コンピュータ２００のＣＰＵ２１０は、ＲＡＭ２２０上にロードされたプログラムを実行することにより、受付手段４０、配置手段４１、区分手段４２、統合手段４３、補正手段４４および出力手段４５の各機能を実現する。また、ＨＤＤ２４０には、地点情報３０、エリア情報３１、境界情報３２および領域情報３３が格納される。
【００５６】
コンピュータ２００のＣＰＵ２１０は、これらのプログラムを、記録媒体２８０から読み取って実行するが、他の例として、他の装置から、ネットワーク１４を介してこれらのプログラムを取得してもよい。
【００５７】
また、特許請求の範囲に記載した「手段」は、「部（section、module、unit）」や「回路」などに読み替えることができる。例えば、配置手段は、配置部や配置回路に読み替えることができる。
【符号の説明】
【００５８】
１０  システム
１１  区分装置
２３  記憶部
２４  制御部
３０  地点情報
３１  エリア情報
３２  境界情報
４０  受付手段
４１  配置手段
４２  区分手段
４３  統合手段
４４  補正手段
４５  出力手段
【図１】
2015005044.tif 000003
【図２】
2015005044.tif 000004
【図３】
2015005044.tif 000005
【図４】
2015005044.tif 000006
【図５】
2015005044.tif 000007
【図６Ａ】
2015005044.tif 000008
【図６Ｂ】
2015005044.tif 000009
【図６Ｃ】
2015005044.tif 000010
【図７】
2015005044.tif 000011
【図８】
2015005044.tif 000012
【図９】
2015005044.tif 000013
【図１０】
2015005044.tif 000014
【図１１】
2015005044.tif 000015
【図１２】
2015005044.tif 000016
【図１３】
2015005044.tif 000017